(57)【特許請求の範囲】
【請求項１】
情報提供者側又は店舗側が設けた特定の区画内に設置されて超音波を発振するビーコンと、該区画内に存在する携帯端末との間で超音波による通信を行う超音波通信システムであって、
前記ビーコンは、可聴域外の近接する周波数を有して対となる音量レベルが割り当てられる二つのデジタル信号である、第１キャリア及び第２キャリアを、時間軸上で一方のキャリアが音量レベルの大きなアクティブ領域のときに他方のキャリアは音量レベルが小さい非アクティブ領域となり、第１キャリアと第２キャリアのアクティブ領域が交互となる態様で、第１キャリアと第２キャリアのいずれの非アクティブ領域の音量レベルを共に０よりも大きくして、第１キャリアの音量レベルと第２キャリアの音量レベルとの大小関係に応じて、第１キャリアの音量レベルが第２キャリアの音量レベルよりも大きいときは、０，１のうちの一方を割り当て、第２キャリアの音量レベルが第１キャリアの音量レベルよりも大きいときには、０，１のうちの他方を割り当てることによって、前記情報提供者又は前記店舗の固有識別情報を含む一つのチャンネルの発信情報を出力し、該発信情報をアナログ信号に変換した後に超音波として前記区画内に送出する手段を有し、
前記携帯端末は、携帯マイクと、前記ビーコンから送出された超音波を該携帯マイクにより受信したときに該受信した超音波を電気信号に変換し、該電気信号において第１キャリア及び第２キャリアにより構成される一つのチャンネルを特定したときには、該特定したチャンネルの第１キャリアと第２キャリアとの時間軸上の音量レベルの大小関係に応じて０，１に復調する復調処理を実行して、前記固有識別情報を含む発信情報を前記携帯端末の存在確認用として処理可能に出力する復調処理部とを有すること、
を特徴とする超音波通信システム。
【請求項２】
請求項１に記載の超音波通信システムにおいて、
複数の前記ビーコンが前記特定の区画内に設置され、
各ビーコンには、周波数の設定が異なる第１キャリア及び第２キャリアのペアが個別に割り当てられ、各ビーコンは、該割り当てられた第１キャリア及び第２キャリアの組み合わせにより、前記固有識別情報を含む一つのチャンネルの発信情報を出力して、該発信情報をアナログ信号に変換した後に超音波として前記区画内に送出し、
前記復調処理部は、各ビーコンから送出される超音波の発信情報のうち、前記携帯端末に備えられたマイクの周波数特性に適合した超音波の発信情報を受信すると共に、該受信した超音波の発信情報に対して前記復調処理を実行すること、
を特徴とする超音波通信システム。
【請求項３】
請求項１に記載の超音波通信システムにおいて、
前記ビーコンは、周波数の設定が異なる複数の第１キャリアと第２キャリアとのペアを用いて、複数のチャンネル分の前記発信情報を出力して、各チャンネルの発信情報をアナログ信号に変換した後に超音波として前記区画内に送出し、
前記復調処理部は、前記ビーコンから送出される複数のチャンネルの超音波の発信情報のうち、前記携帯端末のマイクの周波数特性に適合したチャンネルの超音波の発信情報を受信して、該受信した超音波の発信情報に対して前記復調処理を実行すること、
を特徴とする超音波通信システム。
【請求項４】
請求項１から請求項３のうちのいずれか１項に記載の超音波通信システムにおいて、
前記携帯端末は、インターネットを介してサーバからインターネット情報を取得する手段と、該取得したインターネット情報を超音波としてスピーカから出力する手段とを有し、
前記ビーコンは、マイクと、前記携帯端末のスピーカから出力される超音波のインターネット情報を該マイクにより受信することによって、前記サーバから提供されるインターネット情報を、前記携帯端末を経由して取得する手段とを有すること、
を特徴とする超音波通信システム。
【請求項５】
請求項４に記載の超音波通信システムにおいて、
複数の前記ビーコンが前記特定の区画内に設置され、
前記携帯端末を介してサーバからインターネット情報を取得したビーコンは、該インターネット情報を超音波によりスピーカから出力し、他のビーコンが該超音波によるインターネット情報をマイクにより受信することによって、複数のビーコン間で該インターネット情報を伝送すること、
を特徴とする超音波通信システム。
【請求項６】
請求項１から請求項５のうちのいずれか１項に記載の超音波通信システムにおいて、
前記復調処理部は、前記携帯端末の携帯マイクにより受信した前記超音波の発信情報に対して、前記第１キャリア及び第２キャリアに対する高速フーリエ変換処理、時間軸上へのマッピング処理、及び第１キャリアと第２キャリアの音量レベルに対するパターンの比較演算処理を行うことにより、前記固有識別情報を含む発信情報を前記携帯端末の存在確認用として復調すること、
を特徴とする超音波通信システム。
【請求項７】
請求項１から請求項６のうちのいずれか１項に記載の超音波通信システムにおいて、
前記特定の区画は、店舗側が設けた売場であることを特徴とする超音波通信システム。
【請求項８】
情報提供者側又は店舗側が設けた特定の区画内に設置されて超音波を発振するビーコンと、該区画内に存在する携帯端末との間で超音波による通信を行う超音波通信システムで使用されるビーコンであって、
可聴域外の近接する周波数を有して対となる音量レベルが割り当てられる二つのデジタル信号である、第１キャリア及び第２キャリアを、時間軸上で一方のキャリアが音量レベルの大きなアクティブ領域のときに他方のキャリアは音量レベルが小さい非アクティブ領域となり、第１キャリアと第２キャリアのアクティブ領域が交互となる態様で、第１キャリアと第２キャリアのいずれの非アクティブ領域の音量レベルを共に０よりも大きくして、第１キャリアの音量レベルと第２キャリアの音量レベルとの大小関係に応じて、第１キャリアの音量レベルが第２キャリアの音量レベルよりも大きいときは、０，１のうちの一方を割り当て、第２キャリアの音量レベルが第１キャリアの音量レベルよりも大きいときには、０，１のうちの他方を割り当てることによって、前記情報提供者又は前記店舗の固有識別情報を含む一つのチャンネルの発信情報を出力し、該発信情報をアナログ信号に変換した後に超音波として前記区画内に送出する手段を有すること、
を特徴とするビーコン。
【請求項９】
情報提供者又は店舗側が設けた特定の区画内に設置されて超音波を発振するビーコンと、該区画内に存在する携帯端末との間で、超音波による通信を行う超音波通信システムで使用される携帯端末用のプログラムであって、
前記携帯端末に実装されたＣＰＵで実行されることにより、該ＣＰＵを、
前記ビーコンから、可聴域外の近接する周波数を有して対となる音量レベルが割り当てられる二つのデジタル信号である、第１キャリア及び第２キャリアを、時間軸上で一方のキャリアが音量レベルの大きなアクティブ領域のときに他方のキャリアは音量レベルが小さい非アクティブ領域となり、第１キャリアと第２キャリアのアクティブ領域が交互となる態様で、第１キャリアと第２キャリアのいずれの非アクティブ領域の音量レベルを共に０よりも大きくして、第１キャリアの音量レベルと第２キャリアの音量レベルとの大小関係に応じて、第１キャリアの音量レベルが第２キャリアの音量レベルよりも大きいときは、０，１のうちの一方を割り当て、第２キャリアの音量レベルが第１キャリアの音量レベルよりも大きいときには、０，１のうちの他方を割り当てることによって、前記情報提供者又は前記店舗の固有識別情報を含む一つのチャンネルの発信情報であって、アナログ信号に変換された後に超音波として前記区画内に送出された発信情報を、前記携帯端末が備えた携帯マイクにより受信したときに、
該受信した超音波を電気信号に変換し、該電気信号において第１キャリア及び第２キャリアにより構成される一つのチャンネルを特定したときには、該特定したチャンネルの第１キャリアと第２キャリアとの時間軸上の音量レベルの大小関係に応じて０，１に復調する復調処理を実行して、前記固有識別情報を含む発信情報を前記携帯端末の存在確認用として処理可能に出力する復調処理部として機能させることを特徴とする携帯端末用プログラム。
【発明の詳細な説明】
【技術分野】
【０００１】
本発明は、ビーコン、携帯端末を利用する超音波通信システムに関し、詳しくは、超音波を発振するビーコンと、スマートフォン・携帯電話等の携帯端末とを利用した簡略で優れた通信性能を有する超音波通信システム、及び超音波通信システムで使用されるビーコンに関するものである。
【背景技術】
【０００２】
近年、スマートフォン・携帯電話等の携帯端末の一般ユーザへの普及にともない、例えば店舗に超音波ビーコンを設置し、ユーザの携帯端末と通信してユーザのアクセスや商品購入等の利便性の向上、店舗側からユーザへの情報提供、ポイント還元等各種サービスの提供等によるサービス性向上を図るシステムが提案されている。
【０００３】
ここで、スマートフォン・携帯電話等の携帯端末のマイクを使う際に考えるべき技術的・原理的制約について考察すると、以下の（制約１）乃至（制約４）が存在する。
【０００４】
（制約１）マイクがもつ周波数特性
携帯端末には様々な機種が存在し、また日々新機種が市場に投入されるため、すべての携帯端末の機種についてその都度テストすることは大きな費用負担となり、携帯端末固有の事情に依存しないプログラムによりこれを回避することは非常に重要である。
【０００５】
特に、スマートフォン向けアプリケーションにおいては、アプリケーションを提供する場（Ａｐｐ  Ｓｔｏｒｅ（登録商標）やＡｎｄｒｏｉｄ（登録商標）  Ｍａｒｋｅｔなど）は携帯端末の機種別に分かれておらず、１種類のプログラムで複数機種の携帯端末（将来発売される新機種の携帯端末を含む）に対応することが必要となる。
【０００６】
ここで、携帯端末に組み込まれているマイクには、周波数特性（周波数別の感度）が存在し、特に可聴域外にある高音域（概ね１８ｋＨｚ以上）の特性には携帯端末の機種ごとに大きなばらつきが存在する。
【０００７】
そして、携帯端末の周波数特性がわからない状態で、音量（音圧レベルの意。以下同様）を測定することは難しい。
【０００８】
そのため、携帯端末の機種ごとに存在するマイクの周波数特性のばらつきは、携帯端末の機種を問わずに使える１種類のプログラムにより同一基準で音量（音圧レベルの意。以下同様）を測定することを難しくしている。
【０００９】
すなわち、ある周波数の音をある一定の音量でビーコンから出力しても、測定する携帯端末の機種が異なると（組み込まれているマイクの周波数特性が異なるので）、測定される音量は異なるからである。
【００１０】
同様に、周波数特性の違いから、ある程度（例えば数百Ｈｚ）以上離れた高さの二つの音を同じ音量で出力しても、携帯端末側で測定できるそれら二つの音の音量は異なる可能性がある。
【００１１】
このように、携帯端末の周波数特性がわからない状態で、音量レベルがある程度異なる二つの音の音量の差を通信のパラメーターに使うことは難しい。
【００１２】
（制約２）環境雑音、バックグラウンドノイズ
ネズミ除け、ゴキブリ除け、若者がたむろすることを防ぐモスキート音、デジタルサイネージ、電気製品など、店舗周辺には様々な高音域の雑音が存在する。ほとんどの雑音は、特定の高さ（特定の周波数）において一定の音量で発生する。
事前に当該店舗周辺でどのような雑音が存在するかを測定するのは大きな費用負担となり、またその環境は刻々と変化するため、どのような周波数帯の雑音があっても、影響されにくい通信の方式が必要となる。
【００１３】
（制約３）ドップラー効果
ユーザは、音シグナルの受信中にも移動する可能性があるため、ドップラー効果を考慮した通信方式が必要となる。
【００１４】
すなわち、ドップラー効果により、ある高さの音（周波数Ｆ１）を出力しても、携帯端末側で検出できる周波数は周波数Ｆ１からずれた周波数になる可能性があり、そのずれはユーザの移動速度や方向によって決するため事前には不可知である。
発明者らの測定結果によると、ユーザが一般的な携帯電話を使う際のドップラー効果による周波数の変化は最大でプラスマイナス２００Ｈｚ分にもなる。
【００１５】
（制約４）利用可能な周波数帯域
人間の可聴域の上限は、個人差及び年齢による差があるものの１８ｋＨｚ若しくは１９ｋＨｚ又は２０ｋＨｚといわれており、これを下回ると聞こえてしまう（下限）。
【００１６】
一方で、携帯端末が音声ファイル・音声入出力を処理する際の典型的なサンプリングレートは４４，１００Ｈｚであり、検知できる周波数の理論上の上限値は、２２，０５０Ｈｚ（ナイキスト周波数：サンプリングレートの２分の１）である（上限）。
【００１７】
実際には、制約１にあげたマイク特性や品質を保つためのフィルタ処理（例：ローパスフィルター）等により、検知可能な上限が２１ｋＨｚ付近にある携帯端末も多い。
上記のことから、通信周波数としては、１８ｋＨｚ若しくは１９ｋＨｚ又は２０ｋＨｚを下限とし、２１ｋＨｚ又は２２．０５ｋＨｚを上限とする限られた周波数帯域を使って行う必要がある。
【００１８】
（従来技術）
特許文献１には、店舗側で、ビーコンにより複数の周波数の信号を一定の音量で出力する。その周波数の組み合わせが店舗固有のものになっており、携帯端末においてビーコンからの複数の周波数の信号を受信し、どの周波数が出ているかによって当該店舗を特定するように構成した存在検知の方法及びシステムが提案されている。
【００１９】
しかし、このシステムにおける場合、携帯端末の周波数特性（制約１）の影響を強く受ける。特定の周波数帯の感度が非常に低い携帯端末があった場合、その周波数帯で音を出していても検知できない。ドップラー効果（制約３）の影響を強く受ける。ドップラー効果のために、ユーザが携帯端末をもって歩き回っている間はどの周波数が出力されているか正確に求められない。環境雑音（制約２）に弱い。環境雑音と、ビーコンの信号を区別する方法が無い。伝送する情報量を増やそうとすると、使用する周波数帯域を広げざるを得えないが、（制約４）により、実際には数ビット程度の情報しか伝送することができない（ＦＦＴの分解能を１０〜１００Ｈｚとして）等の問題があると推定される。
【００２０】
また、別の関連する従来例としては、店舗側で特定の周波数（キャリアと呼ぶ。複数あってもよい）のＯＮ／ＯＦＦにより、モールス信号的に信号を送るように構成したシステムもある。
【００２１】
この場合においては、信号の内容及びキャリアに使う周波数が店舗固有のものとなっており、また、時間によって発信内容を変えるため、伝送できる情報量は増えるものと考えられる。
【００２２】
しかし、この従来例の場合、無音区間と有音区間が定期的に入れ替わるため、人間の耳に音として聞こえたり、聴覚に違和感を覚えたりする。また、この方式を採用するには、ＯＮ／ＯＦＦを判定する閾値（どの周波数が何ｄＢ以上だったらＯＮと判定するのか）を携帯端末側のプログラムに設定する必要があるが、環境雑音（制約２）或いはマイク特性（制約１）の影響により、適当な閾値を設定するのが非常に困難である。更に、携帯端末ごと、場所ごとに閾値を変える必要があり、手間が膨大になり、更に、プログラムが複雑化する。
【先行技術文献】
【特許文献】
【００２３】
【特許文献１】国際公開第２０１１／０１４２９２号
【発明の概要】
【発明が解決しようとする課題】
【００２４】
本発明が解決しようとする問題点は、個々の携帯端末のマイクがもつ周波数特性の相違を考慮し、環境雑音の影響や携帯端末自体の所在位置の移動によるドップラー効果の影響も無く、更に、携帯端末の使用者に対して不要な音の聴取による不安感を生じさせることもなく、しかも、簡略構成で優れた通信性能を発揮するようなビーコン及び携帯端末を利用する超音波通信システムが存在しない点である。
【課題を解決するための手段】
【００２５】
本発明は、上記課題を解決するためになされたものであり、情報提供者側又は店舗側が設けた特定の区画内に設置されて超音波を発振するビーコンと、該区画内に存在する携帯端末との間で超音波による通信を行う超音波通信システムに関する。
そして、本発明の超音波通信システムは、
情報提供者側又は店舗側が設けた特定の区画内に設置されて超音波を発振するビーコンと、該区画内に存在する携帯端末との間で超音波による通信を行う超音波通信システムであって、
前記ビーコンは、可聴域外の近接する周波数を有して対となる音量レベルが割り当てられる二つのデジタル信号である、第１キャリア及び第２キャリアを、時間軸上で一方のキャリアが音量レベルの大きなアクティブ領域のときに他方のキャリアは音量レベルが小さい非アクティブ領域となり、第１キャリアと第２キャリアのアクティブ領域が交互となる態様で、第１キャリアと第２キャリアのいずれの非アクティブ領域の音量レベルを共に０よりも大きくして、第１キャリアの音量レベルと第２キャリアの音量レベルとの大小関係に応じて、第１キャリアの音量レベルが第２キャリアの音量レベルよりも大きいときは、０，１のうちの一方を割り当て、第２キャリアの音量レベルが第１キャリアの音量レベルよりも大きいときには、０，１のうちの他方を割り当てることによって、前記情報提供者又は前記店舗の固有識別情報を含む一つのチャンネルの発信情報を出力し、該発信情報をアナログ信号に変換した後に超音波として前記区画内に送出する手段を有し、
前記携帯端末は、携帯マイクと、前記ビーコンから送出された超音波を該携帯マイクにより受信したときに該受信した超音波を電気信号に変換し、該電気信号において第１キャリア及び第２キャリアにより構成される一つのチャンネルを特定したときには、該特定したチャンネルの第１キャリアと第２キャリアとの時間軸上の音量レベルの大小関係に応じて０，１に復調する復調処理を実行して、前記固有識別情報を含む発信情報を前記携帯端末の存在確認用として処理可能に出力する復調処理部とを有することを最も主要な特徴とする。
【発明の効果】
【００２６】
かかる本発明によれば、携帯端末の復調処理部は、第１キャリア及び第２キャリアの時間軸上の音量レベルの相違に基づいて、前記固有識別情報を含む発信情報を携帯端末の存在確認用として復調する。そのため、前記区画内に存在する個々の携帯端末のマイクがもつ周波数特性の相違、環境雑音の影響、携帯端末の所在位置の移動によるドップラー効果の影響が無い。また、ビーコンは、第１キャリアと第２キャリアのアクティブ領域が交互となる（時間軸上で、第１キャリアが出力されている間は、第２キャリアは出力せず（或いは音量を絞り）、第２キャリアが出力されている間は、第１キャリアは出力しない）態様による発信情報を、アナログ信号に変換した後に超音波として前記区画内に送出する。この場合、出力される超音波は周波数全域で見た音量が一定となるため、人の耳に聞こえ難いことから、人に不安感を与えることはなく、心理的な抵抗感や不安感を取り除くことができる。このように、本発明によれば、簡略構成でありながら情報又は商品の提供者側のビーコンと、携帯端末との間で優れた通信性能を発揮する超音波通信システムを実現し提供することができる。
【００２７】
また、本発明において、
複数の前記ビーコンが前記特定の区画内に設置され、
各ビーコンには、周波数の設定が異なる第１キャリア及び第２キャリアのペアが個別に割り当てられ、各ビーコンは、該割り当てられた第１キャリア及び第２キャリアの組み合わせにより、前記固有識別情報を含む一つのチャンネルの発信情報を出力して、該発信情報をアナログ信号に変換した後に超音波として前記区画内に送出し、
前記復調処理部は、各ビーコンから送出される超音波の発信情報のうち、前記携帯端末に備えられたマイクの周波数特性に適合した超音波の発信情報を受信すると共に、該受信した超音波の発信情報に対して前記復調処理を実行することが好ましい。
この構成によれば、前記区画内に設置された複数のビーコンから、異なる周波数をもった複数のチャンネルの超音波の発信情報が送出される。そして、前記区画内に存在する携帯端末の復調処理部は、携帯端末のマイクの周波数特性に適合したチャンネルの超音波の発信情報を受信することにより、個々の携帯端末のマイクにおける周波数特性の相違を乗り越えて、顧客（携帯端末を所持して前記区画を訪れた人）に対して高品質の情報配信を行うことができる超音波通信システムを実現し提供することができる。
【００２８】
また、本発明において、
前記ビーコンは、周波数の設定が異なる複数の第１キャリアと第２キャリアとのペアを用いて、複数のチャンネル分の前記発信情報を出力して、各チャンネルの発信情報をアナログ信号に変換した後に超音波として前記区画内に送出し、
前記復調処理部は、前記ビーコンから送出される複数のチャンネルの超音波の発信情報のうち、前記携帯端末のマイクの周波数特性に適合したチャンネルの超音波の発信情報を受信して、該受信した超音波の発信情報に対して前記復調処理を実行することが好ましい。
この構成によれば、１台のビーコンから、周波数の異なる複数の第１キャリアと第２キャリアのペアを用いて出力した複数のチャンネル分の発信情報を、アナログ信号に変換した後に前記区画内に送出する。そして、携帯端末の復調処理部は、携帯端末のマイクの周波数特性に適合したチャンネルの超音波の発信情報を受信することにより、個々の携帯端末のマイクにおける周波数特性の相違を乗り越えて、それぞれの顧客（携帯端末を所持して前記区画を訪れた人）に対して、高品質の情報配信を行うことができる超音波通信システムを実現し提供することができる。
【００２９】
また、本発明において、
前記携帯端末は、インターネットを介してサーバからインターネット情報を取得する手段と、該取得したインターネット情報を超音波としてスピーカから出力する手段とを有し、
前記ビーコンは、マイクと、前記携帯端末のスピーカから出力される超音波のインターネット情報を該マイクにより受信することによって、前記サーバから提供されるインターネット情報を、前記携帯端末を経由して取得する手段とを有することが好ましい。
この構成によれば、前記区画内においてビーコンを使用して、顧客側の携帯端末のインターネット環境を利用した間接的、且つ、簡略なネットワークを構成することが可能になり、情報又は商品の提供者側で、インターネットに接続しなくとも、サーバからメンテナンスやアップデート等のインターネット情報を取得して、ビーコンのメンテナンス、アップデート等を実行することができ、大幅なコストダウン及び省力化、省スペース化に寄与する超音波通信システムを実現し提供することができる。
【００３０】
また、本発明において、
複数の前記ビーコンが前記特定の区画内に設置され、
前記携帯端末を介してサーバからインターネット情報を取得したビーコンは、該インターネット情報を超音波によりスピーカから出力し、他のビーコンが該超音波によるインターネット情報をマイクにより受信することによって、複数のビーコン間で該インターネット情報を伝送することが好ましい。
この構成によれば、いずれかのビーコンで受信したインターネット情報を、他のビーコン送信することが可能になる。
【００３１】
また、本発明において、
前記復調処理部は、前記携帯端末の携帯マイクにより受信した前記超音波の発信情報に対して、前記第１キャリア及び第２キャリアに対する高速フーリエ変換処理、時間軸上へのマッピング処理、及び第１キャリアと第２キャリアの音量レベルに対するパターンの比較演算処理を行うことにより、前記固有識別情報を含む発信情報を前記携帯端末の存在確認用として復調することが好ましい。
また、本発明において、
前記提供者は店舗において商品を提供し、前記特定の区画は該店舗の売場内に設定されることが好ましい。
次に、本発明のビーコンは、情報提供者側又は店舗側が設けた特定の区画内に設置されて超音波を発振するビーコンと、該区画内に存在する携帯端末との間で超音波による通信を行う超音波通信システムで使用されるビーコンであって、
可聴域外の近接する周波数を有して対となる音量レベルが割り当てられる二つのデジタル信号である、第１キャリア及び第２キャリアを、時間軸上で一方のキャリアが音量レベルの大きなアクティブ領域のときに他方のキャリアは音量レベルが小さい非アクティブ領域となり、第１キャリアと第２キャリアのアクティブ領域が交互となる態様で、第１キャリアと第２キャリアのいずれの非アクティブ領域の音量レベルを共に０よりも大きくして、第１キャリアの音量レベルと第２キャリアの音量レベルとの大小関係に応じて、第１キャリアの音量レベルが第２キャリアの音量レベルよりも大きいときは、０，１のうちの一方を割り当て、第２キャリアの音量レベルが第１キャリアの音量レベルよりも大きいときには、０，１のうちの他方を割り当てることによって、前記情報提供者又は前記店舗の固有識別情報を含む一つのチャンネルの発信情報を出力し、該発信情報をアナログ信号に変換した後に超音波として前記区画内に送出する手段を有することを特徴とする。
次に、本発明の携帯端末用プログラムは、情報提供者又は店舗側が設けた特定の区画内に設置されて超音波を発振するビーコンと、該区画内に存在する携帯端末との間で、超音波による通信を行う超音波通信システムで使用される携帯端末用のプログラムであって、
前記携帯端末に実装されたＣＰＵで実行されることにより、該ＣＰＵを、
前記ビーコンから、可聴域外の近接する周波数を有して対となる音量レベルが割り当てられる二つのデジタル信号である、第１キャリア及び第２キャリアを、時間軸上で一方のキャリアが音量レベルの大きなアクティブ領域のときに他方のキャリアは音量レベルが小さい非アクティブ領域となり、第１キャリアと第２キャリアのアクティブ領域が交互となる態様で、第１キャリアと第２キャリアのいずれの非アクティブ領域の音量レベルを共に０よりも大きくして、第１キャリアの音量レベルと第２キャリアの音量レベルとの大小関係に応じて、第１キャリアの音量レベルが第２キャリアの音量レベルよりも大きいときは、０，１のうちの一方を割り当て、第２キャリアの音量レベルが第１キャリアの音量レベルよりも大きいときには、０，１のうちの他方を割り当てることによって、前記情報提供者又は前記店舗の固有識別情報を含む一つのチャンネルの発信情報であって、アナログ信号に変換された後に超音波として前記区画内に送出された発信情報を、前記携帯端末が備えた携帯マイクにより受信したときに、
該受信した超音波を電気信号に変換し、該電気信号において第１キャリア及び第２キャリアにより構成される一つのチャンネルを特定したときには、該特定したチャンネルの第１キャリアと第２キャリアとの時間軸上の音量レベルの大小関係に応じて０，１に復調する復調処理を実行して、前記固有識別情報を含む発信情報を前記携帯端末の存在確認用として処理可能に出力する復調処理部として機能させることを特徴とする。
【図面の簡単な説明】
【００３２】
【図１】図１は本発明の実施例１に係る超音波通信システムの全体構成を示す概略ブロック図である。
【図２】図２は本発明の実施例１に係る超音波通信システムのビーコンの設置状態を示す説明図である。
【図３】図３は本発明の実施例１に係る超音波通信システムの店舗側のコンピュータ装置及びビーコンの概略ブロック図である。
【図４】図４は本発明の実施例１に係る超音波通信システムの携帯端末、インターネット、サーバの概略ブロック図である。
【図５】図５は本発明の実施例１に係る超音波通信システムの処理の流れを示す概略説明図である。
【図６】図６は本発明の実施例１に係る超音波通信システムにおける第１キャリア、第２キャリアの時間軸上の波形図である。
【図７】図７は本発明の実施例２に係る超音波通信システムのビーコンの設置状態を示す説明図である。
【図８】図８は本発明の実施例２に係る超音波通信システムの店舗側のコンピュータ装置及びビーコンの概略ブロック図である。
【図９】図９は本発明の実施例３に係る超音波通信システムのビーコンの設置状態を示す説明図である。
【図１０】図１０は本発明の実施例３に係る超音波通信システムのビーコンの概略ブロック図である。
【図１１】図１１は本発明の実施例４に係る超音波通信システムの全体構成を示す概略ブロック図である。
【図１２】図１２は本発明の実施例４に係る超音波通信システムのビーコンの概略ブロック図である。
【発明を実施するための形態】
【００３３】
本発明は、個々の携帯端末のマイクがもつ周波数特性の相違を考慮し、環境雑音の影響や携帯端末自体の所在位置の移動によるドップラー効果の影響も無く、更に、聴覚の不要な音の聴取による不安感を生じさせることもなく、しかも、簡略構成で優れた通信性能を発揮する例えば店舗等に設置して好適なビーコン、携帯端末を利用する超音波通信システムを提供することを目的とする。
そして、本発明は、この目的を、情報又は商品の提供者により設けられた特定の区画内に設置されて超音波を発振するビーコンと、当該区画内に存在する携帯端末との間で通信を行う超音波通信システムであって、前記ビーコンは、可聴域外の近接する周波数を有して対となる音量レベルが割り当てられる二つのデジタル信号である、第１キャリア及び第２キャリアを、時間軸上で第１キャリアと第２キャリアのアクティブ領域が交互となる態様で組み合わせることによって、前記提供者の固有識別情報を含む一つのチャンネルの発信情報を出力し、該発信情報をアナログ信号に変換した後に超音波として前記区画内に送出し、前記携帯端末は、前記ビーコンから送出された超音波を受信したときに該受信した超音波を電気信号に変換し、該電気信号において第１キャリア及び第２キャリアにより構成される一つのチャンネルを特定し、該特定したチャンネルの第１キャリア及び第２キャリアの時間軸上の音量レベルの相違に基づいて、前記固有識別情報を含む発信情報を前記携帯端末の存在確認用として復調する復調処理を実行する復調処理部を有する構成により実現した。
【実施例】
【００３４】
以下、本発明の実施例に係るビーコン、携帯端末を利用する超音波通信システムについて、図面を参照して詳細に説明する。
（実施例１）
【００３５】
本実施例１に係る超音波通信システム１について、図１乃至図６を参照して説明する。
本実施例１に係る超音波通信システム１は、例えば、小売店、量販店のような店舗側のコンピュータ装置２に接続されて、図２に示すように、店舗側が一つのフロアに設けた売場３（本発明の特定の区画に相当する）内の例えば天井４に配置され、前記店舗側のコンピュータ装置２に接続された超音波を発振するビーコン５と、個々の顧客が保持し、前記ビーコン５と交信する例えばスマートフォン等の携帯端末６とを含んで構成される。顧客が自己の携帯端末６を操作して、インターネット情報を取得するためのインターネット網Ｎに無線接続することで、サーバ７からこのインターネット網Ｎを通じて前記携帯端末６にインターネット情報が配信される。
【００３６】
前記店舗側のコンピュータ装置２は、図３に示すように、オペレーティング用、超音波通信システム１の動作用等各種プログラムを格納したメモリ１１と、全体の制御を行う制御部１０と、各種情報を記憶する記憶部１２と、インターネット網Ｎに接続するための通信処理部１３と、各種操作を行うためのキーボードのような操作部１４と、各種情報を画面表示するＬＣＤディスプレイ等のような表示部１５と、各種情報をプリント出力するプリンタ１６と、前記ビーコン５の発信周波数の設定、駆動制御等を行うビーコン情報処理部１７とを有している。
【００３７】
前記ビーコン５は、図３に示すように、デジタル信号である第１キャリアを発信する第１キャリア発信部２１と、デジタル信号である第２キャリアを発信する第２キャリア発信部２２と、前記ビーコン情報処理部１７からの制御信号を基に第１キャリア発信部２１と、第２キャリア発信部２２の発信状態をコントロールする発信コントローラ２３と、第１キャリア、第２キャリアをアナログ信号に変換するＤＡ変換部２４と、発音手段であるビーコン発音部２５と、を有している。
【００３８】
ここで、前記第１キャリア、第２キャリアについて説明する。
前記第１キャリア、第２キャリアは、近接する可聴域外の周波数（例えば、第１キャリア：１９０００Ｈｚ、第２キャリア：１９０５０Ｈｚ）をもち、かつ、対となる音量レベルの二つのデジタル信号であり、これらの組み合わせにより一つのチャンネルとして前記店舗の固有識別情報（固有識別番号の情報）を含む発信情報を構成している。
【００３９】
本実施例１では、例えば店舗の固有識別番号として「０１０１０１」を採用するものとして以下の説明を行う。
【００４０】
前記第１キャリア、第２キャリアにおけるデジタル信号の１は第１キャリアの音量レベル＜第２キャリアの音量レベル、デジタル信号の０は、第１キャリアの音量レベル＞第２キャリアの音量レベル（或いはその逆）となるように予め設定するものとする。
【００４１】
また、０，１の組み合わせにより表されるデジタル信号（ビット列）には、実際の店舗の固有識別情報を流すボディー部のほかに、ヘッダーや暗号鍵、誤り検出訂正信号を含めることもできる。
【００４２】
また、第１キャリア発信部２１、第２キャリア発信部２２は、図６に示すように、時間軸上で第１キャリア、第２キャリアのアクティブ領域が交互となる態様で一つのチャンネルの発信情報を出力するように構成している。
【００４３】
すなわち、時間軸上で、第１キャリアが出力されている間は、第２キャリアは出力せず（或いは音量を絞り）、第２キャリアが出力されている間は、第１キャリアは出力しない（或いは音量を絞る）ように生成する。
【００４４】
第１キャリアと第２キャリアの周波数の差は、個々のユーザの携帯端末６が保有する一つの機能であるＦＦＴ（高速フーリエ変換）の分解能が許す限りなるべく小さな差となるように設定されている。
【００４５】
これは、周波数が十分に近いと、携帯端末６の携帯マイク３５の周波数特性の差の影響を小さくし、既述した制約１の個々の携帯端末６の携帯マイク３５がもつ周波数特性の相違を無視できる利点があることを考慮したものである。
【００４６】
また、第１キャリア，第２キャリア間の周波数の幅は、利用可能な周波数帯域において、予め約束された定数を使用するものとしている。
【００４７】
更に、前記ビーコン５としては、環境雑音が少なく、また、複数台のビーコン５を同時使用する場合、他のビーコン５が使用していないチャンネルを用いることが適切であることに留意する。
【００４８】
前記ＤＡ変換部２４は、第１キャリアと第２キャリアの各周波数の信号の組み合わせとしての発信情報をアナログデータに変調する（ＤＡ変換：デジタル／アナログ変換）。
【００４９】
ＤＡ変換されたアナログ信号はビーコン発音部２５から時間軸上で前記発信情報に対応した超音波として売場３内の空間に送出される。
【００５０】
前記デジタル信号については、ビーコン５における反射音等による干渉を防止するために、パケットとパケットの間に一定時間無音部分をつくることもできるが、この場合は完全に無音にするのではなく、高音域に設ける退避帯域に信号を逃す。これは無音区間をなくすことで人間の耳に聞こえないようにする利点もある。
【００５１】
前記携帯端末６は、図４に示すように、携帯端末６自体の動作を制御する携帯制御部３０と、携帯端末６自体の動作プログラムを格納した携帯メモリ３１と、インターネット網Ｎと無線接続するための無線送受信部３２と、各種情報を表示するＬＣＤディスプレイ等の表示部３３と、例えばタブレット型の入力キー等から構成される操作部３４と、前記ビーコン発音部２５からの前記発信情報に対応した超音波を受信する携帯マイク３５と、携帯マイク３５にて受信し電気信号に変換された前記発信情報を復調処理する復調処理部３６と、携帯スピーカ３７と、各種情報を記憶する記憶部３８と、を有している。
【００５２】
前記復調処理部３６は、図５に示し、また詳細は後述するように、第１キャリア、第２キャリアに対する高速フーリエ変換処理を行うＦＦＴ（高速フーリエ変換部）、時間軸上へのマッピング処理を行うマッピング部、第１キャリア、第２キャリアの音量レベルに対応するパターン（一定の時間幅をもったフレーム毎の振幅すべきトラムのパターン）の比較演算処理を行う比較演算部、比較演算処理結果を基に前記固有識別情報を含む発信情報を前記顧客の存在確認用として複号する復号処理部を含んでいる。
【００５３】
次に、本実施例１に係る超音波通信システム１の動作について図５をも参照して詳述する。
【００５４】
本実施例１に係る超音波通信システム１において、前記ビーコン５における第１キャリア発信部２１、第２キャリア発信部２２により、第１キャリアと第２キャリアの各周波数の信号の組み合わせとして近接する可聴域外の周波数をもち、かつ、対となる音量レベルの二つのデジタル信号を店舗の固有識別情報を含む第１キャリア、第２キャリアからなり、かつ、時間軸上で第１キャリア、第２キャリアのアクティブ領域が交互となる図６に示す発信情報として出力し、前記ＤＡ変換部２４によりアナログ信号に変換した後、ビーコン発音部２５から時間軸上で前記発信情報に対応した超音波として前記売場３内の空間に送出する。
【００５５】
この場合、前記ビーコン５は、予め設定したタイミングでオフになるまで同じ超音波の信号を送出し続ける。
【００５６】
携帯端末６においては、携帯マイク３５により前記ビーコン５からの超音波の信号を受信し、電気信号に変換した後、復調処理部３６に伝送する。
復調処理部３６においては、ＦＦＴは、前記電気信号をＦＦＴ変換し、第１キャリア，第２キャリア毎に所定の時間幅をもったフレーム毎に振幅スペクトラム（音量レベル）を生成し、更に、マッピング処理部により時間軸上で第１キャリア，第２キャリア毎にごとに振幅スペクトラムをマッピングして図５に示すように時間軸上で一定の時間幅をもったフレーム毎に並べたマッピングデータを作成する。
【００５７】
図５において、第１キャリアのマッピングデータを黒丸で、第２キャリアのマッピングデータを白丸で示す。また、このとき出現するノイズデータを×印で示す。
【００５８】
次に比較演算部は、マッピングデータを元に、周波数同士が交互に対になって出現し、かつ、周波数同士の間隔が、第１キャリアと第２キャリア間の定数と一致する１組の周波数を特定し、低い方を第１キャリア、高い方を第２キャリアとして同定する。
【００５９】
これにより、ビーコン５がどのチャンネルを使用しているのか特定される（この場合には、第１キャリア（１９０００Ｈｚ）、第２キャリア（１９０５０Ｈｚ）から構成される一つのチャンネルである）。
【００６０】
また、こうすることで、ドップラー効果の影響を排除できる（ドップラー効果は周波数全域に対して均等に影響するが、第１キャリアと第２キャリアの周波数の間隔は、予め約束された定数のままだからである）。
【００６１】
更に、比較演算部は、時間軸上でフレーム毎に（第１キャリアの音量レベル）Ａｔ−（第２キャリアの音量レベル）Ｂｔを計算し、両者の差ΔＸ（＝Ａｔ−Ｂｔ）を求め、ΔＸが負の場合（Ａｔ＜Ｂｔ）を０とし、正の場合（Ａｔ＞Ｂｔ）を１とする演算結果を時系列に出力する。
【００６２】
復号処理部は、比較演算部の演算結果により、店舗の固有識別番号を「０１０１０１」として複合する。すなわち、店舗の固有識別番号を前記顧客の存在確認用として割り出す。
次に、携帯端末６を保持する顧客は、自己の携帯端末６を操作し、インターネット網Ｎを介してサーバ７に問い合わせ、サーバ７から配信された当該店舗情報とビーコンからの受信内容により割り出した店舗の固有識別番号とを例えば表示部に表示して照合する。
【００６３】
これらが整合していれば当該店舗に前記携帯端末６を保持する顧客が居ることが特定される（顧客の存在確認）。
【００６４】
なお、上述した一連の動作において、必要に応じて、誤り検出訂正や暗号復号の前処理を実施することももちろん可能である。
【００６５】
本実施例１によれば、可聴周波数外の超音波を使用してビーコン５、携帯端末６の交信を行うように構成したものであり、この場合は超音波は周波数全域でみた音量は一定のため、人（顧客、従業員）の耳に聞こえにくいことから、人に不安感を与えることは無く、心理的な抵抗感や不安感を取り除くことができる。また，より正確な位置情報に基づく精度の高い情報配信が安定した状態で実行可能となる超音波通信システム１を提供することができる。
【００６６】
また、本実施例１のビーコン５は安定動作するため、メンテナンスコストが低くてすみ、店舗等において導入し易く、ビーコン５の導入指向の拡大を図ることができ、システム提供者にとっても営業し易い利点がある。
【００６７】
更に、本実施例１におけるビーコン５と携帯端末６間の交信においては、携帯端末６において、第１キャリア、第２キャリアの時間軸上の音量レベルに対応するパターンの比較による復調処理を行うことから、ネズミ除け、ゴキブリ除け、若者のたむろ防止のモスキート音、眼鏡等の超音波洗浄機、デジタルサイネージや電子機器等から発生する環境雑音と混信するようなことはなく、環境雑音に強く、安定的な通信を確保できる超音波通信システムを構築できる。
【００６８】
（実施例２）
本発明の実施例２に係る超音波通信システム１Ａについて、図７、図８を参照して説明する。
【００６９】
本実施例２に係る超音波通信システム１Ａは、基本的構成は実施例１の場合と同様であるため、同一の要素には同一の符号を付して示す。
【００７０】
本実施例２に係る超音波通信システム１Ａは、実施例１の構成に替えて、店舗側が一つのフロアに設けた売場３内の例えば天井４に超音波を発振する２台のビーコン５Ａ、５Ｂを配置したこと、及び、二つのビーコン５Ａ、５Ｂ各々の二つのキャリア（第１キャリア及び第２キャリアのペア）の周波数を個々のチャンネル（第１のチャンネル、第２のチャンネル）別に可聴域外の周波数帯域で異ならせて、個別に割り当てた構成とし、前記各ビーコンから、個々のチャンネル別に同じ発信情報を売場内に同時に発信する構成としたことが特徴である。
【００７１】
なお、図８においては、ビーコン５Ｂの第１キャリア発信部を２１ａ、第２キャリア発信部２２ａとして示している。
【００７２】
このような構成は、ビーコン５Ａ、５Ｂ間を超音波を使った通信によりローカルなネットワークを形成していることと同義であり、インターネットＮやＩＰ網に接続するための複雑なシステムを必要としない点で有利である。
【００７３】
すなわち、一方のビーコン５Ａにおいては、第１のチャンネルとして、第１キャリアの周波数を１９０００Ｈｚ、第２キャリアの周波数を１９０５０Ｈｚとし、他方のビーコン５Ｂにおいては、第２のチャンネルとして、第１キャリアの周波数を１９５００Ｈｚ、第２キャリアの周波数を１９５５０Ｈｚとし、第１のチャンネル、第２のチャンネル間の周波数間隔を十分に大きく（５００Ｈｚ）とった構成としている。
【００７４】
本実施例２に係る超音波通信システム１Ａの前記ビーコン５と携帯端末６間の交信動作は、実施例１の場合と同様であるが、実施例１の場合と同様な効果を発揮する。
【００７５】
また、前記売場３内で顧客の携帯端末６の携帯マイク３５により当該携帯マイク３５の周波数特性に最も適合したチャンネルの超音波の発信情報を受信することにより、個々の携帯端末６の携帯マイク３５における周波数特性の相違を乗り越え、それぞれの顧客に対して高品質の情報配信を行うことができる。
【００７６】
また、第１のチャンネル、第２のチャンネル間の周波数間隔も十分に大きいので、これにより、第１のチャンネル、第２のチャンネル間での干渉・混信を防ぎつつ個々の携帯端末６を保持する多数の顧客への情報配信を行うことができる。
【００７７】
（実施例３）
次に、本発明の実施例３に係る超音波通信システム１Ｂについて、図９、図１０を参照して説明する。
【００７８】
本実施例３に係る超音波通信システム１Ｂは、基本的構成は実施例２の場合と略同様であるため、同一の要素には同一の符号を付して示す。
【００７９】
本実施例３に係る超音波通信システム１Ｂは、図９、図１０に示すように、一つのビーコン５から、実施例２で述べたような周波数が異なる第１のチャンネル、第２のチャンネルの二つの超音波の信号を携帯端末６に向けて送出するように構成したことが特徴である。
ビーコン５における第１キャリアの周波数を１９０００Ｈｚ、第２キャリアの周波数を１９０５０Ｈｚとし、第２のチャンネルとして、第１キャリアの周波数を１９５００Ｈｚ、第２キャリアの周波数を１９５５０Ｈｚとしている。
【００８０】
本実施例３に係る超音波通信システム１Ｂによれば、実施例１の場合と同様な作用効果を奏するとともに、図９に示すように、一つのビーコン５から、周波数が異なる第１、第２のチャンネルの二つの超音波の信号を携帯端末６に向けて送出することで、携帯端末６の技術的な制約１（マイクがもつ周波数特性の違い）を乗り越え、個々の携帯端末６に最適なチャンネルにおいてシグナルを受け取ることができる（冗長化）超音波通信システム１を提供することができる。
【００８１】
（実施例４）
次に、本発明の実施例４に係る超音波通信システム１Ｂについて、図１１、図１２を参照して説明する。
【００８２】
本実施例４に係る超音波通信システム１Ｃは、基本的構成は実施例２の場合と略同様であるため、同一の要素には同一の符号を付して示す。
【００８３】
本実施例４に係る超音波通信システム１Ｃは、実施例２の場合と同様に売場３内の例えば天井４に超音波を発振する例えば２台（複数台）のビーコン５Ａ、５Ｂを配置したこと、また、ビーコン５Ａ、５Ｂにおいては、実施例２の場合の構成に加えて、マイク２６及びスピーカ２７を増設したことが特徴である。
【００８４】
本実施例４におけるビーコン５Ａ、５Ｂから携帯端末６への超音波による信号の配信に関する動作は実施例２の場合と同様であり、本実施例４に係る超音波通信システム１Ｃにおいても実施例２の超音波通信システム１Ａの場合と同様な作用、効果を発揮させることができる。
【００８５】
また、本実施例４に係る超音波通信システム１Ｃにおいては、前記顧客による携帯端末６（携帯端末６には通例インターネットＮに接続する手段が備わっている）の操作によってサーバ７とのインターネット接続により取得し、前記携帯スピーカ３７から発信される超音波のインターネット情報（インターネット環境を利用するもの）をビーコン５Ａ、５Ｂにのうちのいずれか（ビーコン５Ａ）のマイク２６により受信して、スピーカ２７から他のビーコン（ビーコン５Ｂ）のマイク２６に超音波のインターネット情報として送信可能とし、前記携帯端末６のインターネット環境を利用する間接的なネットワークを構成するが可能となる。
【００８６】
すなわち、ビーコン５Ａ、５Ｂ同士（ビーコン５Ａ，５Ｂ間）の超音波通信によるネットワークに、ユーザの携帯端末を参加させることで、間接的にインターネット網に接続することができる。
【００８７】
これにより、店舗側においては、上述した顧客の携帯端末６を利用した間接的なネットワークを介してサーバ７からメンテナンスやアップデート情報を取得しビーコン５Ａ、５Ｂのメンテナンス、アップデートを実行することができ、大幅なコストダウン及び省力化、省スペース、設置場所の柔軟性向上につながることが可能となる。
【００８８】
また、多店舗経営を行っているような店舗では、全国各地に散らばっているビーコンがインターネットに接続されていなくても、顧客の携帯端末６が取得するインターネット情報を利用して間接的にネットワークを介してメンテナンスやアップデートをすることができ、大幅なコストダウン及び省力化、省スペース化を実現し、更に設置場所の柔軟性向上につなげることもできるという利点がある。
【００８９】
更に、図示していないが、ビーコン５Ａ、５Ｂにマイク２６により受信した他のビーコンからの信号を基に当該ビーコンのキャリアの周波数を判定する機能をもたせ、自動的に自己が発信するキャリアのチャンネルを切り替え、他のビーコンとの間の混信を防止するように構成することも可能である。
【００９０】
以上説明した実施例１乃至４の超音波通信システム１乃至１Ｃによれば、人の耳に聞こえない可聴周波数外の超音波を使用し、かつ、超音波は周波数全域でみた音量は一定のため、人（顧客、従業員）の耳に聞こえにくいことから、不安感を与えることは無く、心理的な抵抗感や不安感を取り除くことができ、また，より正確な位置情報に基づく精度の高い情報配信が安定した状態で実行可能となり、ビーコン５等の店舗等への導入可能性が拡大する。
【００９１】
また、システム全体として安定した通信性能を確保でき、メンテナンスコストが低くてすみ、店舗等において導入し易く、普及の拡大を図ることができ、システム提供者にとっても営業し易い利点がある。
【００９２】
更に、可聴周波数外の超音波を使用することで、ネズミ除け、ゴキブリ除け、若者のたむろ防止のモスキート音、眼鏡等の超音波洗浄機、デジタルサイネージや電子機器等から発生する環境雑音に強く、安定的な通信を確保できる優れた性能を有する超音波通信システム１乃至１Ｃを実現し提供することができる。
【産業上の利用可能性】
【００９３】
本発明は、上述した店舗等における店舗側と顧客の携帯端末との通信に適用する場合の他、例えば携帯端末を保持した多数の出席者が集合する会議場等における個々の出席者の存在確認、イベント会場等における携帯端末を保持した多数のユーザの存在確認等の、情報提供者側と出席者が保持する携帯端末間の通信用途にも広範囲に適用できる。
【符号の説明】
【００９４】
１    超音波通信システム
１Ａ  超音波通信システム
１Ｂ  超音波通信システム
１Ｃ  超音波通信システム
２    店舗のコンピュータ装置
３    売場
４    天井
５    ビーコン
５Ａ  ビーコン
５Ｂ  ビーコン
６    携帯端末
７    サーバ
１０    制御部
１１    メモリ
１２    記憶部
１３    通信処理部
１４    操作部
１５    表示部
１６    プリンタ
１７    ビーコン情報処理部
２１    第１キャリア発信部
２１ａ  第１キャリア発信部
２２    第２キャリア発信部
２２ａ  第２キャリア発信部
２３    発信コントローラ
２４    ＤＡ変換部
２５    ビーコン発音部
２６    マイク
２７    スピーカ
３０    携帯制御部
３１    携帯メモリ
３２    無線送受信部
３３    表示部
３４    操作部
３５    携帯マイク
３６    復調処理部
３７    携帯スピーカ
３８    記憶部
Ｎ    インターネット網
【図１】
0005429826.tif 000002
【図２】
0005429826.tif 000003
【図３】
0005429826.tif 000004
【図４】
0005429826.tif 000005
【図６】
0005429826.tif 000006
【図７】
0005429826.tif 000007
【図８】
0005429826.tif 000008
【図９】
0005429826.tif 000009
【図１１】
0005429826.tif 000010
【図１２】
0005429826.tif 000011
【図５】
0005429826.tif 000012
【図１０】
0005429826.tif 000013